(57)【要約】      （修正有）【課題】  包装体内に収納された油や調味料等が付着している食品を手で抓んで食べる際に、手が汚れてしまうことを防ぐことができる包装体を提供する。【解決手段】  食品３を収納して密封する包装体の内部の少なくとも一部分に区画スペース６を設け、区画スペース６に食品を取り出すための抓み具５を収納し、抓み具５は、長手方向の中央に折り目を備えた板体であり、板体の短手方向の断面形状は波形を成している。【選択図】      図１
2006160332.tif 000002
【特許請求の範囲】
【請求項１】
食品（３，９，１１）を収納して密封する包装体の内部の少なくとも一部分に区画スペース（６）を設け、該区画スペース（６）に食品を取り出すための抓み具（５，１０，１２）を収納していることを特徴とする包装体。
【請求項２】
前記抓み具（５）は、長手方向の中央に折り目（５２）を備えた板体（５１）であることを特徴とする請求項１記載の包装体。
【請求項３】
前記板体（５１）の短手方向の断面形状は波形を成していることを特徴とする請求項２記載の包装体。
【発明の詳細な説明】
【技術分野】
【０００１】
本発明は、食品を内部に収納して密封する包装体に関するものであり、さらに詳しくは、ポテトチップス等のような直接手で抓んで食べる食品を収納して密閉する包装体に関するものである。
【背景技術】
【０００２】
油や調味料等が付着している食品、例えばお菓子類でいうならポテトチップスやおかき等を食べる際には、その食品を収納する包装体内に手を入れて直接食品を指で抓んで食べることが多いため、指先等に食品の油や調味料等が付着してしまい、どうしても手が汚れてしまうということは避けられなかった。この手に付いた油汚れ等はティッシュペーパーやナプキン等で拭くだけではなかなか落ちず、石鹸等で手を洗う以外に汚れを完全に落とす方法はなかった。そのため、食べている最中に他の作業をしようとした場合、わざわざ手を洗いに行くのが面倒となり、ついつい汚れていない指のみを使用したり、全く汚れていない方の手、即ち利き手でない方の手を使用したりして作業を行ってしまいがちで、作業が非常にぎこちなくなり、自分の思う様に作業が進まずにイライラしたりして作業効率が悪くなるだけでなく、誤って汚れた手でどこかに触れたりして周囲を汚してしまうこともあった。
【発明の開示】
【発明が解決しようとする課題】
【０００３】
しかしながら、上記の状況は、あくまで洗面所等の水回りの環境が整った場所での場合についての問題点であり、最終的には手を洗えば解決できるものの、手を洗うことができない環境の場合、例えばドライブ中の車内やピクニック等といったアウトドアな場面においては、ティッシュペーパーやウエットティッシュ等で手を拭く以外に方法はなかった。そのため、たとえウエットティッシュで手を念入りに拭いたとしても、油のベトベトした感じや調味料等の特有の臭い等は完全に拭き取ることはできずに残ったままとなってしまい、手を石鹸等で洗うまでの間、手の汚れからくる不快感をずっと抱き続けなければならなかった。特にドライブにおいては、道中に簡単に手で抓んで食べられるおつまみ系の食品が好まれ、これらの食品を食べることがドライブの楽しみの一つになっているとも言えるので、それにより不快感を抱かなければならないことは非常におかしなことである。
【０００４】
そこで本発明は、上記事情に鑑みてなされたものであり、包装体内に収納された油や調味料等が付着している食品を手で抓んで食べる際に、手が汚れてしまうことを防ぐことができる包装体を提供することを目的とする。
【課題を解決するための手段】
【０００５】
上記課題を解決するために、本発明のうち請求項１記載の発明は、食品を収納して密封する包装体の内部の少なくとも一部分に区画スペースを設け、該区画スペースに食品を取り出すための抓み具を収納していることを特徴とする。このようにすれば、食品を直接手で抓まなくてもよいので手が汚れる心配はなく、従来のように食べ終わった際に手を洗いに行く手間を省くことが可能となり、手の汚れからくる不快感を抱くことなく食品を味わうことができると共に、瞬時に他の行動に移ることができる。また、仮に手が汚れていていたとしてもこの抓み具を使用すれば、清潔な状態で内部の食品を食べることができる。
【０００６】
ここで、包装体内に収納する食品については、ポテトチップスやおかき等のお菓子類や漬物等といった手で抓んで食べられる食品であり、特に油や調味料等が付着している食品にすることが望ましい。また、包装体内への食品の収納状態は、内部に収納する食品に応じて、例えば真空包装等の適宜形態にすることが望ましい。また、食品を包装体の内部に収納する場合、省資源化を図るためにも直接収納することが望ましいが、収納する食品によっては、予め真空包装等を施してから収納してもよい。
【０００７】
区画スペースとは、包装体の内部に設けられ且つ食品を収納するスペースとは完全に区画されたスペースのことである。区画スペースの設ける位置は、包装体の中心部でなくシール部分の周辺であればどこでもよいが、直ぐに取り出せるように開封口の近傍に設けることが望ましい。また、区画スペースの設ける個数は単数でも複数でもよく、包装体内に収納する食品によって適宜変更するものである。また、区画スペースの形成方法は、食品の収納部分と完全に区画可能なもの、例えば熱シーラー等によって包装体の内部を区画する方法等を挙げることができる。
【０００８】
抓み具とは、手を汚すことなく包装体内の食品を抓むことが可能なものを全て含める概念であり、例えばビニールやナイロン製等の手袋や、指サック等のような直接手にはめるものや、箸やピンセット等のように手に持って使用するものを挙げることができるが、請求項２記載の発明のように、長手方向の中央に折り目を備えた板体にすることが望ましい。このようにすれば、包装体の区画スペース内に抓み具を収納する場合に、抓み具の形状が平板状であるので、区画スペース内で嵩張ることがなく収納しやすくなると共に、出し入れも容易にできる。また、区画スペースから取り出した後、抓み具の折り目で二つに折り曲げるだけでピンセット状の抓み具となり、非常に手軽に使用することができる。
【０００９】
板体の材質については、中央の折り目で誰もが容易に折り曲げることが可能で且つ食品を確実に挟んで持ち上げることが可能な強度を有するものであれば、特に限定はしないが、ＰＥＴ等のプラスチックにすることが望ましい。また、板体の形状としては平板状であってもよいが、請求項３記載のように、短手方向の断面形状が波形を成すようにすることが望ましい。このようにすることで、板体の強度がより一層増して食品を確実に抓むことができる。波の形成個数は単数でも複数でもよく、抓む食品に応じて適宜変更し、板体の強度を調節するものである。
【発明の効果】
【００１０】
本発明のうち請求項１記載の発明によれば、包装体内に収納された食品を食べる際に、包装体の内部の一部部分に収納された抓み具を使用することにより、食品を抓む手に食品の油や調味料等が付着して汚れることを確実に防ぐことができ、食品を食べ終わるまでの間、さらには食べ終わった後も手の汚れからくる不快感を抱くことはない。その結果、食べる際に手が汚れてしまうような食品を手軽に食することができると共に、食べている最中に余計な事を心配せずに食品の味を堪能することができる非常に優れた包装体を提供することができる。また、食べ終わった際や食べている最中に他の作業をしようとした際に、その都度いちいち手を洗いに行く手間を省くことができると共に、従来のようなティッシュペーパー等でこまめに手の汚れを拭き取る必要もなく、省資源化に貢献することができる。また、抓み具が包装体の一部部分に収納されているので、誰でも簡単且つ手軽に使用することができ煩わしさ等がなく非常に便利であると共に、食品とは完全に区画された状態に収納されているので、包装体内で食品と接触して抓み具が汚れてしまうことを防ぐことができる。
【００１１】
請求項２記載の発明によれば、板状であるので区画スペースに収納した際には嵩張ることもなく取り出しも容易に行え、また、取り出した抓み具を板体の中央の折り目で二つに折り曲げることでピンセット状の抓み具となり、食品を確実且つ容易に抓むことができるだけでなく、組み立てが容易であり誰でも手軽に使用することができる。
【００１２】
請求項３記載の発明によれば、板体の形状が平板状のものよりも強度が大きくなり、食品をより一層確実に抓むことができるため、抓んだ食品を口まで運ぶ途中で落としてしまうことを確実に防ぐことができる。また、食品の形状が歪であったり、滑りやすいものであった場合には、非常に抓みやすくなり都合がよい。
【発明を実施するための最良の形態】
【００１３】
以下、本発明の実施形態を図面に基づいて説明する。
【００１４】
図１は本発明の第１実施形態を示すものであり、第１実施形態の包装体はポテトチップス等のお菓子を内部に収納するものである。包装体は包装体本体１の上下端部にシール部２ａ，２ｂを設け、包装体本体１の内部はポテトチップス３を収納する食品収納部４と、手を汚さずにポテトチップス３を抓むためのピンセット５を収納する抓み具収納部６とに熱シーラーによって上下方向に区画されている。符号７は熱シーラーによって形成された区画シール部である。このように本発明の包装体の最大の特徴は、包装体内に食品とは完全に区画されたスペースを形成し、そのスペースに食品を抓むための抓み具を収納していることである。抓み具収納部６は包装体本体１の上側に、食品収納部４は下側に配置することでピンセット５を取り出し易くしている。シール部２ａ，２ｂの外側の端部は、各収納部４，６を開封し易いようにギザギザに形成してあり、さらに開封用のスリット８が形成してある。尚、第１実施形態の包装体の場合は、包装体本体１の上下端部にシール部２ａ，２ｂを設けているため、上下シール部２ａ，２ｂのどちらからでも開封することが可能であるため、各収納部４，６の配置状態は上下が逆になってもよく、特に限定するものではない。
【００１５】
図２（ａ）（ｂ）（ｃ）は抓み具収納部６に収納したピンセット５を示すものである。図２（ａ）は平面図、図２（ｂ）は側面図、図２（ｃ）はＡ−Ａ矢視の断面図である。ピンセット５は横長の板体５１からなり、板体５１の長手方向の中央には折り目５２が設けられている。ピンセット５はその折り目５２で板体５１を二つに折り曲げて使用する折り畳み式のピンセットである。板体５１は折り目５２を境に左右対称の形状をしており、材質はＰＥＴ（ポリエチレンテレフタレート）である。板体５１は、図２（ｃ）に示すように、短手方向の中央部分が上方に向かって山状になるように湾曲しており、板体５１の強度を高めてポテトチップス３等の食品を抓み易くしている。折り目５２付近の板体５１は平板状に形成し、板体５１が折り目５２で容易に折り曲がるようにしてある。板体５１の周縁部５３は丸みを持たせた形状にしてあり、ピンセット５を使用して食品を食べる際に、板体５１の周縁部５３で唇を傷つけないようにしてある。
【００１６】
図３に板体５１を折り目５２で二つに折り曲げた状態の斜視図を示す。ピンセット５は板体５１を二つに折り曲げた場合、内側に球状の空間が形成される形状をなしているため、板体５１の強度が増して食品を確実に抓むことができる。また、ポテトチップス３等のように力を入れると粉々に崩れてしまい且つ歪な形状をした食品を抓んだ場合は、板体５１の湾曲した部分で食品を逃がすことができるため、食品を抓んだ際にピンセット５と接触する面積を小さくすることができ、食品が非常に抓み易くなる。
【００１７】
図４はピンセット５を抓み具収納部６から取り出している状態を示す。包装体を開封する場合、食品収納部４を開封する前に、まず抓み具収納部６を開封する。この際、抓み具収納部６側のシール部２ａの端部に形成したギザギザの部分か、又は、スリット８から開封するとスムーズに行える。次に、抓み具収納部６からピンセット５を取り出した後、食品収納部４側のシール部２ｂから食品収納部４を開封し、ピンセット５で食品収納部４内のポテトチップス３を抓んで食べる。これにより、ポテトチップス３を食べる際に、手にポテトチップス３の油や、調味料等が付着して汚れることを防ぐことができる。また、食べている最中に他の作業がしたくなった場合に、ピンセット５を置きさえすれば直ぐに行動に移ることができ、手を洗う手間を省くことができる。
尚、ピンセット５の形態については、第１実施形態のような折り畳み式に限定されるものではなく、はじめから板体５１を二つに折り曲げた状態、即ち一般的にピンセットと言われる形態で抓み具収納部６に収納しておいてもよい。
【００１８】
図５は本発明の第２実施形態を示すものであり、第２実施形態は内部に漬物等の食品を真空状態に収納する包装体である。包装体本体１は周囲にシール部２ａ，２ｂ，２ｃ，２ｄを設け、包装体本体１の内部には漬物９を収納する食品収納部４と、漬物９を抓むための箸１０を収納する抓み具収納部６，６とが熱シーラーによって区画されている。抓み具収納部６，６は食品収納部４の左右両側に配置されており、内部には箸１０，１０がそれぞれ収納してある。符号７，７は熱シーラーによって形成された区画シール部である。このように漬物９を収納する包装体の内部に箸１０を収納しておけば、例えばドライブ中にお土産屋等で漬物９を買った場合、手を汚すことなく車内で直ぐにビールのおつまみ等として食することができる。また、食する際に一旦皿等に入れ換える必要がないためドライブ等のアウトドアな場面においては非常に好都合となる。
【００１９】
図６は本発明の第３実施形態を示すものであり、第３実施形態は内部が透けて見える包装体である。包装体本体１は透明性を保有する材質から形成されており、周囲にシール部２ａ，２ｂ，２ｃ，２ｄを設け、包装体本体１の内部はお菓子等の食品１１を収納する食品収納部４と、食品１１を抓むための手袋１２を収納する抓み具収納部６とが熱シーラーによって左右に区画されている。符号７は熱シーラーによって形成された区画シール部である。抓み具収納部６には手袋１２と一緒にＰＲ用の用紙１３が収納されている。ＰＲ用の用紙１３は正面からＰＲの内容が確実に分かるように、手袋１２の前面側に配置させることが望ましい。ＰＲ用の用紙１３には商品のＰＲは勿論のこと、販売場所に応じては、例えばお土産屋ならその地域のＰＲ等を掲載してもよく、特に食品１１のＰＲに限定されるものではない。左右のシール部２ｃ，２ｄの上方側にはスリット８，８がそれぞれ形成されており、各収納部４，６が開封し易いようになっている。このように包装体を構成することにより、食品１１を食べる際に、手袋１２をはめた手で食品１１を食べることで手が汚れることを防ぐことができるだけでなく、包装体本体１の表面に食品１１のＰＲ等の印刷や包装をする必要がなくなり省資源化に貢献することができると共に、収納されている食品１１が外部から直で見えるので顧客の購買意欲を上昇させることができる。また、収納する食品１１をポテトチップス等のような直接手で抓んで食べる食品１１にすることにより、手袋１２をはめてはいるものの、指で抓んでいることには変わりなく、今までと違和感なく食品を食べることができる。
尚、包装体本体１はＰＲ用の用紙１３が収納される部分のみを透明性を保有する材質から形成してもよく、必ずしも包装体本体１全体が透明でなくてもよい。
【００２０】
ここで、本発明は上記実施形態に限定されるものではなく、抓み具は折り畳み式のピンセット、箸及び手袋に限定されるものではなく、指サックのような指だけにはめられるような形態のもの等であってもよい。また、食品と抓み具の組み合わせについても、ポテトチップスを収納する包装体の抓み具収納部には手袋を収納してもよいし、漬物を収納する包装体の抓み具収納部には折り畳み式ピンセットを収納してもよく、特に本実施形態に限定されるものではない。
【図面の簡単な説明】
【００２１】
【図１】本発明の第１実施形態を示す斜視図である。
【図２（ａ）（ｂ）（ｃ）】抓み具を示す平面図、側面図及びＡ−Ａ矢視の断面図である。
【図３】抓み具の全体を示す斜視図である。
【図４】第１実施形態を示す一部を切欠した正面図である。
【図５】本発明の第２実施形態を示す正面図である。
【図６】本発明の第３実施形態を示す正面図である。
【符号の説明】
【００２２】
３  ポテトチップス（食品）
５  ピンセット（抓み具）
６  抓み具収納部（区画スペース）
９  漬物（食品）
１０  箸（抓み具）
１１  お菓子等の食品（食品）
１２  手袋（抓み具）
５１  板体
５２  折り目
【図１】
2006160332.tif 000003
【図２（ａ）（ｂ）（ｃ）】
2006160332.tif 000004
【図３】
2006160332.tif 000005
【図４】
2006160332.tif 000006
【図５】
2006160332.tif 000007
【図６】
2006160332.tif 000008